(57)【要約】【課題】ベルトで構成し，吊るし対象，吊るし部材のサイズ，形状に左右されず，簡単な構造で，手荷物などの吊るし対象の重量に対して破損し難い強度を備え，吊るし部材と吊るし対象との間の距離を任意に設定，維持することができ，ベルトの脱落が無く，着脱が容易，かつ，コンパクトで携帯に適する，吊り下げ具を実現する。【解決手段】パイプなどの吊るし部材，または，手荷物の取っ手などの吊るし対象と，一方のバックルにおける巻き空間をベルトの巻き溜め部として，巻き付け部を，ベルトにより所要回数巻き付けてマルチループを形成して，スリットを通過させ，ループを形成していない吊るし対象，または，吊るし部材と，他方のバックルの巻き付け部とを，ベルトにより巻き付けてシングルループを形成して，スリットを通過させて，吊るし部材に吊るし対象を吊り下げる。【選択図】図１
0003147919.tif 000002
【実用新案登録請求の範囲】
【請求項１】
ベルト先端部に，ベルトクランプ，巻き付け部，巻き空間，ストツパー，スリットを備えるバックルを取り付けて構成する吊り下げ具に関して，パイプなどの吊るし部材，または，手荷物の取っ手などの吊るし対象と，一方のバックルにおける巻き空間をベルトの巻き溜め部として，巻き付け部を，ベルトにより所要回数巻き付けてマルチループを形成し，スリットを通過させることにより，ストツパーとスリットの組み合わせによりベルトの脱落を防ぎ，ループを形成していない吊るし対象，または，吊るし部材と，他方のバックルの巻き付け部を，ベルトにより巻き付けてシングルループを形成し，スリットを通過させることによりベルトの脱落を防いで，吊るし部材に吊るし対象を吊り下げることにより，ベルトの巻き付け回数により，吊るし対象と吊るし部材との距離を任意に設定，維持できるとともに，吊るし対象の重量によりそれぞれのループが巻き締められるためベルトずれが発生せず，スリット，ならびに巻き空間はいずれも開放構造のためベルトの着脱が容易，かつ，ベルトを巻き付け部に巻き付けることによりコンパクトで携帯に適する，ベルトルーパー。
【考案の詳細な説明】
【技術分野】
【０００１】巻き空間をベルトの巻き溜め部として，パイプなどの吊るし部材，または，手荷物の取っ手などの吊るし対象と，一方のバックルの巻き付け部を，ベルトにより所要回数巻き付けてマルチループを形成し，ループを形成していない吊るし対象，または，吊るし部材と，他方のバックルの巻き付け部を，ベルトにより巻き付けてシングルループを形成し，吊るし部材に吊るし対象を吊り下げることにより，ベルトの巻き付け回数により，吊るし対象と吊るし部材との距離を任意に設定，維持できるとともに，吊るし対象の重量によりそれぞれのループが巻き締められるためベルトずれが発生せず，スリット，ならびに巻き空間はいずれも開放構造のためベルトの着脱が容易，かつ，ベルトを巻き付け部に巻き付けることによりコンパクトで携帯に適する，ベルトルーパー。
【背景技術】
【０００２】パイプなどの外周にベルトなどでループを形成し，手荷物などを吊り下げる簡易な吊り下げ具は，操作の簡単さ，ならびに，吊るし対象，吊るし部材のサイズ，形状に左右されないなどにより，種々提案されているが，ベルトで構成した場合は，吊るし部材と吊るし対象との間の距離を任意に設定，維持することが容易では無く，ベルトへの押圧などにより距離を設定，維持する方法では，手荷物などの吊るし対象の重量によってズリを生ずるなど，所定の距離を安定して維持することは困難である。また，ベルトに種々の機構を構成して所定の距離を維持する場合は，複雑な構成になるとともに，吊るし対象の重量によって機構部品が破損する危険が有るなど，種々の課題を抱えている。
【考案が解決しようとする課題】
【０００３】ベルトで構成し，吊るし対象，吊るし部材のサイズ，形状に左右されず，簡単な構造で，手荷物などの吊るし対象の重量に対して破損し難い強度を備え，吊るし部材と吊るし対象との間の距離を任意に設定，維持することができ，ベルトの脱落が無く，着脱が容易，かつ，コンパクトで携帯に適する，吊り下げ具を実現する。
【課題を解決するための手段】
【０００４】パイプなどの吊るし部材，または，手荷物の取っ手などの吊るし対象と，一方のバックルにおける巻き空間をベルトの巻き溜め部として，巻き付け部を，ベルトにより所要回数巻き付けてマルチループを形成して，スリットを通過させ，ループを形成していない吊るし対象，または，吊るし部材と，他方のバックルの巻き付け部とを，ベルトにより巻き付けてシングルループを形成して，スリットを通過させて，吊るし部材に吊るし対象を吊り下げる。
【考案の効果】
【０００５】ベルトを用いることにより，吊るし部材，吊るし対象のサイズ，形状に左右されず，ベルトの先端に取り付けたバツクルによる簡単な構造で，手荷物などの吊るし対象の重量に対して破損し難い強度を備え，吊るし部材と吊るし対象との間の距離を任意に設定，維持することができ，ストツパーとスリットの組み合わせによりベルトの脱落が防がれ，吊るし対象の重量によりそれぞれのループが巻き締められるためベルトずれが発生せず，スリット，ならびに巻き空間はいずれも開放構造のためベルトの着脱が容易，かつ，ベルトを巻き付け部に巻き付けることによりコンパクトで携帯に適する。
【考案を実施するための最良の形態】
【０００６】図１は本考案によるベルトルーパーにより，吊るし対象４のカバンを吊るし部材３のパイプにベルト１，バツクル２で吊り下げた状態を示す。図２はバツクルの外観斜視図を示し，ベルト１の先端はバツクル２のベルトクランプ５に取り付けられている。一方のバツクルにおいて，巻き空間７をベルトの巻き溜め部として，吊るし部材，または，吊るし対象と巻き付け部６をベルト１により所要回巻き付けてマルチループを形成して，９のスリットＡ，または１０のスリットＢにベルトを通す。図３に示すように，ベルトが巻き付け部の下面から巻き空間に入る場合はスリットＡ，ベルトが巻き付け部の上面から巻き空間に入る場合は，スリットＢを通すことにより，巻き空間７の側壁のストッパー８とスリットの側壁により，ベルトは左右いずれにも移動できず，脱落は完全に防止される。スリットＡ，Ｂをペアで構成する理由は，ベルトが巻き付け部の上下いずれから巻き空間に入っても，スリット機能を有効に働かせるためである。【０００７】ループを形成していない，吊るし部材，または，吊るし対象と他方のバツクルにおける，巻き付け部６をベルト１により巻きつけてシングルループを形成して，スリットＡまたはスリットＢにベルトを通す。図３に示すように，ベルトが巻き付け部の下面から巻き空間に入る場合は，スリットＡ，ベルトが巻き付け部の上面から巻き空間に入る場合は，スリットＢを通すことにより，巻き空間７の側壁のストッパー８とスリットの側壁により，ベルトは左右のいずれにも移動できず，脱落は完全に防止される。【０００８】図４（１）は吊るし部材３とバツクルでマルチループを形成した概念図，（２）はシングルループを形成した概念図を示す。このようにして，それぞれのループが形成された状況で，吊るし部材に吊るし対象を吊り下げる。マルチループ形成によるベルトの巻き回数により，吊るし部材と吊るし対象との間の距離を任意に設定することができるとともに，ベルトにより設定された距離は安定維持される。吊るし対象の重量によりそれぞれのループが巻き締められるためベルトずれが発生せず，スリット，ならびに巻き空間はいずれも開放構造のためベルトの着脱が容易であり，吊るし対象の荷重は殆どがベルトに加わるため，バックルの強度を強くすることによりほぼベルトの耐荷重に耐える。また，ベルトを巻き付け部に巻き付けることによりコンパクトで携帯に適する。
【実施例】
【０００９】ベルトはナイロン材，幅２５ｍｍ，厚さ１．５ｍｍ，長さ１．５ｍ，バツクルはアルミ材，厚さ５ｍｍ，巻き空間は２０ｍｍ×３５ｍｍとし，ベルトの巻き付け回数は７ターン程度を可能とした。吊るし部材をΦ３０ｍｍのパイプとすると，吊るし部材，吊るし対象の間の距離は最短で６０ｃｍ，吊るし荷重は１０Ｋｇ程度である。ベルト材としてはポリプロピレン，塩化ビニール，バックルは鉄，ステンレス，ならびにナイロン，塩化ビニールなどの樹脂でも良いなど種々の素材が考えられる。シングルループを形成するバックルに関しては，マルチループ用に比べて，巻き空間を広くとる必要はないため，シングルループ専用の小型なものを使用することも可能であるが，二個のバツクルを同じものにする利便性は大きい。また，巻き空間へのベルトの入り方向を指定すれば，スリットは二つ必要とせず一つで良く，さらに小型化される。ベルトの幅，厚さ，バックルのサイズ，強度などは吊るし荷重の大きさにより，最適に設定する必要が有る。また，バツクルの巻き付け部は特別な構造を設けず，ベルトの取り付け部の折り返しを兼用しても良い。さらに，バツクルはベルトの巻き付け易さを考慮して，巻き付け部よりベルト側とスリット側とを一律平坦とはせず傾斜を付けるなども有効であるなど，材質，ディメンジョン，構造などに関しては，本考案の趣旨を逸脱しない範囲であれば，種々変形実施が可能である。
【図面の簡単な説明】
【００１０】
【図１】本考案によるベルトルーパーの使用概念図を示す。
【図２】バックルの外観斜視図を示す。
【図３】バツクルにおけるスリットの概念図を示す。
【図４】マルチループ，シングルループを形成する概念図を示す。
【符号の説明】
１  ベルト                  ５  ベルトクランプ        ９  スリットＡ
２  バックル                ６  巻き付け部          １０  スリットＢ
３  吊るし部材              ７  巻き空間
４  吊るし対象              ８  ストッパー
【図１】
0003147919.tif 000003
【図２】
0003147919.tif 000004
【図３】
0003147919.tif 000005
【図４】
0003147919.tif 000006
【手続補正書】
【提出日】平成20年11月4日(2008.11.4)
【手続補正１】
【補正対象書類名】明細書
【補正対象項目名】０００９
【補正方法】変更
【補正の内容】
【０００９】ベルトはナイロン材，幅２５ｍｍ，厚さ１．５ｍｍ，長さ１．５ｍ，バックルはアルミ材，厚さ５ｍｍ，巻き空間は２０ｍｍ×３５ｍｍとし，ベルトの巻き付け回数は７ターン程度を可能とした。吊るし部材をΦ３０ｍｍのパイプとすると，吊るし部材，吊るし対象の間の距離は最短で６０ｃｍ，吊るし荷重は１０Ｋｇ程度である。ベルト材としてはポリプロピレン，塩化ビニール，バックルは鉄，ステンレス，ならびにナイロン，塩化ビニールなどの樹脂でも良いなど種々の素材が考えられる。バックルに設けるスリットに関しては，巻き空間へのベルトの入り方向を上，下いずれかに指定すれば，スリットは上，下二つ必要とせず片側一つで良い。また，図５に示す如く，１１のスリットＣをベルトクランプの対向側に構成すれば，単一のスリットで，巻き空間７の側壁のストッパー８とスリット側壁１２により，ベルトは左右いずれにも移動できず脱落は防止される。さらに，巻き空間を広くして内面を湾曲状に形成したり，図５に示すごとく，開口の入り口に突起１３を設けて脱落を防止するなどによりバックルをフックとして利用して，パイプや手荷物の取っ手などを引っ掛けることも可能である。バックルの巻き付け部は特別な構造を設けず，ベルトの取り付け部の折り返しを兼用しても良い。ベルトの幅，厚さ，バックルのサイズ，強度，材質，ディメンジョン，構造などに関しては，吊るし荷重の大きさにより最適に設定する必要が有るなど，本考案の趣旨を逸脱しない範囲であれば，種々変形実施が可能である。
【手続補正２】
【補正対象書類名】明細書
【補正対象項目名】００１０
【補正方法】変更
【補正の内容】
【００１０】
【図１】本考案によるベルトルーパーの使用概念図を示す。
【図２】バックルの外観斜視図を示す。
【図３】バックルにおけるスリットの概念図を示す。
【図４】マルチループ，シングルループを形成する概念図を示す。
【図５】バックルにおける単一スリットの概念図を示す。
【符号の説明】
１  ベルト                ５  ベルトクランプ        ９  スリットＡ
２  バックル              ６  巻き付け部          １０  スリットＢ
３  吊るし部材            ７  巻き空間            １１  スリットＣ
４  吊るし対象            ８  ストッパー          １２  スリット側壁
１３  フック突起
【手続補正３】
【補正対象書類名】図面
【補正対象項目名】図５
【補正方法】追加
【補正の内容】
【図５】
0003147919.tif 000007